(57)【要約】【課題】長文を含む文書や複数の文書であっても、頻繁に前後・交互参照しながら読む場合の効率を向上することができるハイパーテキスト文書のブラウズ方法を提供する。【解決手段】ハイパーテキスト文書を読み込んで表示し、ハイパーテキスト文書の任意の箇所にマークを入力し、マークの種別及び属性値を解析してマーク情報を作成して、ハイパーテキスト文書中にマーク情報を書き込み、マーク情報を含むハイパーテキスト文書を記憶するとともに、ハイパーテキスト文書の内容を解析して表示情報に変換して、マーク情報を含むハイパーテキスト文書を画面上に表示するブラウズ方法であって、ハイパーテキスト文書及びマーク情報を保存し、ハイパーテキスト文書中にマーク情報を書き込むと同時にブラウザ画面上にマーク情報を表示する。【選択図】　図１
2004030448.tif 000002
【特許請求の範囲】
【請求項１】
ハイパーテキスト文書を読み込んで表示する工程と、
前記ハイパーテキスト文書の任意の箇所にマークを入力する工程と、
前記マークの種別及び属性値を解析してマーク情報を作成する工程と、
前記ハイパーテキスト文書中に前記マーク情報を書き込む工程と、
前記マーク情報を含むハイパーテキスト文書を記憶する工程と、
前記ハイパーテキスト文書の内容を解析して表示情報に変換する工程と、
前記マーク情報を含む前記ハイパーテキスト文書を画面上に表示する工程とを備え、
前記ハイパーテキスト文書及び前記マーク情報を保存し、前記ハイパーテキスト文書中に前記マーク情報を書き込むと同時にブラウザ画面上に前記マーク情報を表示することを特徴とするハイパーテキスト文書のブラウズ方法。
【請求項２】
前記マーク情報として、戻り先指定あるいはテキスト・画像のサイズ／フォント／色変更、下線描画などの強調指定あるいはコメント挿入のいずれか一つ、あるいは複数を含む請求項１に記載のハイパーテキスト文書のブラウズ方法。
【請求項３】
前記ハイパーテキスト文書中に前記マーク情報を書き込む工程において、前記マーク情報の書き込みが、前記マーク情報に対応するタグ付けにより行われる請求項１に記載のハイパーテキスト文書のブラウズ方法。
【請求項４】
前記マーク情報を含むハイパーテキスト文書を記憶する工程において新たに書き込まれたマーク情報に対してのみタグ解析が行われる請求項１に記載のハイパーテキスト文書のブラウズ方法。
【請求項５】
ハイパーテキスト文書を読み込んで表示する工程と、
前記ハイパーテキスト文書の所定の箇所に、前記所定の箇所に戻るためのマーク情報を書き込む工程と、
前記マーク情報を含むハイパーテキスト文書を記憶する工程と、
前記所定の箇所に戻るための前記マーク情報を記憶する工程と、
前記マーク情報が指定された場合には前記所定の箇所にジャンプすることを要求する工程と、
前記所定の箇所にジャンプすることを要求された場合、記憶された前記ハイパーテキスト文書から、指定された前記マーク情報の存在する前記ハイパーテキスト文書及び前記所定の箇所を検索する工程と、
少なくとも検索された前記所定の箇所の前後を含む前記ハイパーテキスト文書を画面上に表示する工程とを備え、
前記所定の箇所にジャンプするための前記マーク情報を保存し、前記ハイパーテキスト文書の任意の箇所から即座に前記所定の箇所にジャンプすることを特徴とするハイパーテキスト文書のブラウズ方法。
【請求項６】
前記所定の箇所にジャンプするための前記マーク情報を、各マーク情報に対するハイパーリンク情報の集合体として保存する請求項５に記載のハイパーテキスト文書のブラウズ方法。
【発明の詳細な説明】
【０００１】
【発明の属する技術分野】
本発明は、主にネットワーク情報システム上で、標準ファイル形式として利用されるハイパーテキスト文書のブラウズ方法に関する。
【０００２】
【従来の技術】
一般家庭にもインターネット環境が広く浸透した今日、ブラウザ上でハイパーテキスト文書を閲覧する作業自体は日常生活の一部となっている。以下、一般的なハイパーテキスト文書のブラウズ方法として、パソコン上で稼動するオペレーティングシステムに付属している一般的なブラウザを使用する場合について、図１２及び図１３を参照しながら説明する。
【０００３】
図１２は従来のハイパーテキスト文書のブラウズ方法を用いたサンプル画面の例示図であり、図１３はサンプル画面における文書中の文字列検索方法の説明図である。
【０００４】
ブラウザは、ＵＲＩ（Ｕｎｉｆｏｒｍ　Ｒｅｓｏｕｒｃｅ　Ｉｄｅｎｔｉｆｉｅｒｓ）入力フィールド１２１にＵＲＩを入力することにより、対応するハイパーテキスト文書を読み込み、タグ解析及びレンダリングをした後、ブラウザ内のコンテンツ表示領域１２２上に表示する。ブラウザでは、表示された文書全体を読み易くするため、フォントの拡大・縮小を行うことができる。
【０００５】
また、読み込み済みの文書においては、文書内あるいは文書間にハイパーリンクが設定されている場合には、リンクのある場所をマウスでクリックすることによって、関連付けられたリンク先にジャンプすることが可能である。
【０００６】
しかし、読み込み済みの文書については、後からハイパーリンクを設定することはできないことから、表示されて内容を読んだ後に返り読みしたい箇所が出てきた場合や、重要な点のみを整理したい場合等には、図１３に示すような文書中の文字列検索用ダイアローグを表示して、検索文字列として、記憶している文字列を検索文字列入力フィールド１３１に入力することによって、該当する部分に到達するまで検索することになる。
【０００７】
【発明が解決しようとする課題】
しかしながら、上述したようなブラウズ方法では、表示された文書中の所定の箇所を、後で参照し易くするため、強調表示したり、メモを挿入したりすることはできない。
【０００８】
また、どこかに返り読みしたい時などに文字列検索用ダイアローグを用いる方法では、返り読みする箇所が多く、それらの文字列を一つ一つ記憶できない場合や、所望の位置が現在表示している文書中ではなく、別の文書中に存在する場合においては操作自体が非常に煩雑であり、ユーザにとって多大な労力を必要とするという問題点があった。
【０００９】
本発明は、上記問題点を解決するために、長文を含む文書や複数の文書であっても、頻繁に前後・交互参照しながら読む場合の効率を向上することができるハイパーテキスト文書のブラウズ方法を提供することを目的とする。
【００１０】
【課題を解決するための手段】
上記目的を達成するために本発明にかかるハイパーテキスト文書のブラウズ方法は、ハイパーテキスト文書を読み込んで表示する工程と、ハイパーテキスト文書の任意の箇所にマークを入力する工程と、マークの種別及び属性値を解析してマーク情報を作成する工程と、ハイパーテキスト文書中にマーク情報を書き込む工程と、マーク情報を含むハイパーテキスト文書を記憶する工程と、ハイパーテキスト文書の内容を解析して表示情報に変換する工程と、マーク情報を含むハイパーテキスト文書を画面上に表示する工程とを備え、ハイパーテキスト文書及びマーク情報を保存し、ハイパーテキスト文書中にマーク情報を書き込むと同時にブラウザ画面上にマーク情報を表示することを特徴とする。
【００１１】
かかる構成により、表示しているハイパーテキスト文書に対し、任意の箇所を強調したり、任意の箇所にコメントを挿入することが可能であり、長文を含む文書や複数の文書を頻繁に返り読みしたり交互参照しながら読む場合に、その作業効率が大幅に向上し、文書閲覧の負担を軽減することが可能となる。
【００１２】
なお、本発明にかかるハイパーテキスト文書のブラウズ方法は、マーク情報として、戻り先指定あるいはテキスト・画像のサイズ／フォント／色変更、下線描画などの強調指定あるいはコメント挿入のいずれか一つ、あるいは複数を含むことが好ましい。
【００１３】
また、本発明にかかるハイパーテキスト文書のブラウズ方法は、ハイパーテキスト文書中にマーク情報を書き込む工程において、マーク情報の書き込みが、マーク情報に対応するタグ付けにより行われることが好ましい。
【００１４】
また、本発明にかかるハイパーテキスト文書のブラウズ方法は、マーク情報を含むハイパーテキスト文書を記憶する工程において新たに書き込まれたマーク情報に対してのみタグ解析が行われることが好ましい。他のマーク情報については既に解析が完了しているからである。
【００１５】
次に、上記目的を達成するために本発明にかかるハイパーテキスト文書のブラウズ方法は、ハイパーテキスト文書を読み込んで表示する工程と、ハイパーテキスト文書の所定の箇所に、所定の箇所に戻るためのマーク情報を書き込む工程と、マーク情報を含むハイパーテキスト文書を記憶する工程と、所定の箇所に戻るためのマーク情報を記憶する工程と、マーク情報が指定された場合には所定の箇所にジャンプすることを要求する工程と、所定の箇所にジャンプすることを要求された場合、記憶されたハイパーテキスト文書から、指定されたマーク情報の存在するハイパーテキスト文書及び所定の箇所を検索する工程と、少なくとも検索された所定の箇所の前後を含むハイパーテキスト文書を画面上に表示する工程とを備え、所定の箇所にジャンプするためのマーク情報を保存し、ハイパーテキスト文書の任意の箇所から即座に所定の箇所にジャンプすることを特徴とする。
【００１６】
かかる構成により、表示しているハイパーテキスト文書に対して、任意の箇所を戻り先として指定することができ、後に素早く返り読みを行うことが可能であり、長文を含む文書や複数のページを頻繁に返り読みしたり交互参照しながら読む場合に、その作業効率が大幅に向上して、文書閲覧の負担を大きく軽減することが可能となる。
【００１７】
また、本発明にかかるハイパーテキスト文書のブラウズ方法は、所定の箇所にジャンプするためのマーク情報を、各マーク情報に対するハイパーリンク情報の集合体として保存することが好ましい。
【００１８】
【発明の実施の形態】
（実施の形態１）
以下、本発明の実施の形態１にかかるハイパーテキスト文書のブラウズ方法について、図面を参照しながら説明する。図１は本発明の実施の形態１にかかるハイパーテキスト文書のブラウズ方法における処理の流れ図である。本実施の形態１においては、ブラウザに表示されたサンプル画像を例に挙げて説明する。図２は本発明の実施の形態１にかかるハイパーテキスト文書のブラウズ方法実施時におけるサンプル画像の表示例示図を、図３はサンプル画像における選択メニューウインドウの例示図を、図４はサンプル画像におけるフォント指定選択時の設定ウインドウの例示図を、それぞれ示している。
【００１９】
図１において、まずブラウザで読み込んだハイパーテキスト文書中において、所定のテキストや画像等を後で参照するために強調表示したい場合、図２に示すブラウザのコンテンツ表示領域２１上に表示されたハイパーテキスト文書における該当箇所２２に対して、テキストや画像等のサイズ、フォント、あるいは色の変更、下線描画等の強調指定、あるいはコメント挿入等のマーク入力を行う（ステップＳ１１）。
【００２０】
具体的には、マウス等のポインティングデバイスにより、ブラウザのコンテンツ表示領域２１上に表示されたサンプル画像のハイパーテキスト文書における該当箇所２２を選択し、入力するマークの種類を、図３に示すブラウザ右クリックメニュー３上に組み込まれたメニュー３１のいずれかを選択することにより指定する。ブラウザ右クリックメニュー３上の機能は、各々ブラウザの一プログラム部品として実装する。
【００２１】
例えば、フォントが指定された場合は、図４に示すようなフォント属性設定ウインドウ４を開き、詳細な属性を指定することになる。コメント挿入が指定された場合は、同様の設定ウインドウが開かれ、当該設定ウィンドウ上においてコメントを入力することになる。
【００２２】
次に、指定されたマークの種類及び属性を解析し（ステップＳ１２）、サンプル画像における表示文書を表現しているマークアップ言語に対応したタグが構成される（ステップＳ１３）。例えば、表示文書がＨＴＭＬにより作成されている場合、赤色フォント指定のマークが入力されると、タグは図５の５１に示すように構成されることになる。
【００２３】
そして、構成されたタグを、図５に示すようにハイパーテキスト文書ファイル内に書き込んで保存する（ステップＳ１４）。かかるハイパーテキスト文書ファイルは、ディスクストレージ上にキャッシュされている文書ファイルであっても良いし、主記憶上で、既にタグ解析が完了している文書ファイルであっても良い。
【００２４】
特に後者の場合には、書き込むタグについてもタグ解析まで行い、テキスト等表示オブジェクトの属性あるいは引数として、あるいは新たなオブジェクトとして作成して保存することになる。
【００２５】
次に、タグ等がマーク付けされたファイルを、そのまま表示可能な状態にまで変換する（ステップＳ１５）。新たなマークを文書ファイル上に書き込む場合は、再度ファイル全体のタグ解析を行う。最終的に、ブラウザのレンダリングエンジンによりレンダリングまで行う。
【００２６】
最後に、ブラウザにおけるコンテンツ表示領域２１上に、作成されたレンダリングデータを表示することになる（ステップＳ１６）。
【００２７】
以上のように本実施の形態１によれば、表示しているハイパーテキスト文書に対し、任意の箇所を強調したり、任意の箇所にコメントを挿入することが可能であり、長文を含む文書や複数の文書を頻繁に返り読みしたり交互参照しながら読む場合に、その作業効率が大幅に向上し、文書閲覧の負担を軽減することが可能となる。
【００２８】
（実施の形態２）
以下、本発明の実施の形態２にかかるハイパーテキスト文書のブラウズ方法について、図面を参照しながら説明する。図６は本発明の実施の形態２にかかるハイパーテキスト文書のブラウズ方法における処理の流れ図である。本実施の形態２においても、ブラウザに表示されたサンプル画像を例に挙げて説明する。図７は本発明の実施の形態２にかかるハイパーテキスト文書のブラウズ方法実施時におけるサンプル画像の表示例示図を、図８はサンプル画像における選択メニューウインドウの例示図を、図９はサンプル画像における戻り先指定選択時の設定ウインドウの例示図を、それぞれ示している。
【００２９】
図６において、まずブラウザで読み込んだハイパーテキスト文書中において、所定のテキストや画像等を後で参照するために戻り先として指定したい場合、図７に示すブラウザのコンテンツ表示領域７１上に表示されたハイパーテキスト文書における該当箇所７２に対して、戻り先指定のマーク入力を行う（ステップＳ６１）。
【００３０】
具体的には、マウス等のポインティングデバイスにより所望の箇所を選択し、ブラウザ右クリックメニュー８上に組み込まれたメニュー８１の戻り先指定を選択することによって指定する。戻り先として指定された箇所について、かかる指定を解除する場合には、戻り先指定解除を選択することになる。ブラウザ右クリックメニュー８上の機能は、各々ブラウザの一プログラム部品として実装する。
【００３１】
次に、サンプル画像における表示文書を表現しているマークアップ言語に対応した戻り先指定タグが構成される。表示文書がＨＴＭＬにより作成されている場合、タグは図１０の１０１に示すようにアンカータグとして構成されることになる。
【００３２】
そして、構成されたタグを、図１０に示すようにハイパーテキスト文書ファイル内に書き込んで保存する（ステップＳ６２）とともに、構成されたタグに対応するハイパーリンク用のタグについても保存する（ステップＳ６３）。かかるハイパーテキスト文書ファイルは、ディスクストレージ上にキャッシュしている文書ファイルであっても良いし、主記憶上で、既にタグ解析が完了している文書データであっても良い。
【００３３】
特に後者の場合には、書き込むタグについてもタグ解析まで行い、テキスト等表示オブジェクトの属性あるいは引数として、あるいは新たなオブジェクトとして作成し保存することになる点は実施の形態１と同様である。
【００３４】
また、ハイパーリンク用のタグは、ディスクストレージ上に、マークアップ言語で記述した文書ファイルとして生成しても良いし、主記憶上でタグ解析まで行い、レンダリングまで行ってから保存するものであっても良いし、主記憶上に、戻り先を示すデータとして保存するものであっても良い。
【００３５】
図１１に、文書ファイルとして保存する場合のファイル例を示す。図１１に示すように、１つのマークに対し、マークが存在する文書のページタイトル１１１及びマーク位置１１２及びマーク名１１３が各々記録されることになる。
【００３６】
次に、任意の文書における任意の箇所を表示している時に、既にマークされている位置へとジャンプする場合には、まずブラウザ使用者がジャンプしたい位置に対応するマークを指定する（ステップＳ６４）。具体的には、ブラウザ右クリックメニュー９上に、保存されている戻り先の一覧９１を表示して、ブラウザ使用者によるマーク選択を受け付けるものであっても良いし、ハイパーリンク情報のみからなるマーク選択用の生成ファイルを一つのＨＴＭＬ文書として表示し、マーク選択を受け付けるものであっても良い。
【００３７】
そして、指定されたマークのハイパーリンク情報に基づいて、指定されたマークを含む文書をディスクストレージ上にキャッシュしている文書ファイル、あるいは主記憶上に保持している文書データから検索して抽出し（ステップＳ６５）、抽出された文書をブラウザのコンテンツ表示領域７１上に、所望のマークを中央付近に位置させて表示することになる（ステップＳ６６）。
【００３８】
以上のように本実施の形態２によれば、表示しているハイパーテキスト文書に対して、任意の箇所を戻り先として指定することができ、後に素早く返り読みを行うことが可能であり、長文を含む文書や複数のページを頻繁に返り読みしたり交互参照しながら読む場合に、その作業効率が大幅に向上して、文書閲覧の負担を大きく軽減することが可能となる。
【００３９】
【発明の効果】
以上のように本発明にかかるハイパーテキスト文書のブラウズ方法によれば、表示しているハイパーテキスト文書に対し、任意の箇所を強調したり、任意の箇所にコメントを挿入したり、任意の箇所を戻り先として指定したりすることが可能であり、長文を含む文書や複数の文書を頻繁に返り読みしたり交互参照しながら読む場合に、その作業効率が大幅に向上し、文書閲覧の負担を軽減することが可能となる。
【図面の簡単な説明】
【図１】本発明の実施の形態１にかかるハイパーテキスト文書のブラウズ方法の処理流れ図
【図２】本発明の実施の形態１にかかるハイパーテキスト文書のブラウズ方法実施時におけるサンプル画面の表示例示図
【図３】本発明の実施の形態１にかかるハイパーテキスト文書のブラウズ方法実施時におけるサンプル画面の選択メニューウインドウの例示図
【図４】本発明の実施の形態１にかかるハイパーテキスト文書のブラウズ方法実施時におけるサンプル画面のフォント指定選択時の設定ウインドウの例示図
【図５】本発明の実施の形態１にかかるハイパーテキスト文書のブラウズ方法実施時における文書ファイルの例示図
【図６】本発明の実施の形態２にかかるハイパーテキスト文書のブラウズ方法の処理流れ図
【図７】本発明の実施の形態２にかかるハイパーテキスト文書のブラウズ方法実施時におけるサンプル画面
【図８】本発明の実施の形態２にかかるハイパーテキスト文書のブラウズ方法実施時における選択メニューウインドウの例示図
【図９】本発明の実施の形態２にかかるハイパーテキスト文書のブラウズ方法実施時におけるジャンプ先マーク箇所選択メニューウインドウの例示図
【図１０】本発明の実施の形態２にかかるハイパーテキスト文書のブラウズ方法実施時における文書ファイルの例示図
【図１１】本発明の実施の形態２にかかるハイパーテキスト文書のブラウズ方法実施時におけるジャンプ先マーク個所選択メニューをＨＴＭＬで表現した例示図
【図１２】従来のハイパーテキスト文書のブラウズ方法を示す図
【図１３】従来のハイパーテキスト文書のブラウズ方法における文書中の文字列検索方法を示す図
【符号の説明】
３、８、９　ブラウザ右クリックメニュー
４　フォント属性設定ウインドウ
２１、７１、１２２　コンテンツ表示領域
２２、７２　該当箇所（マーク位置）
３１　マーク入力メニュー
５１　赤色フォント指定のマーク付けタグ例
８１　戻り先指定／解除入力メニュー
９１　戻り先メニュー
１０１　戻り先指定マーク付けタグ例
１１１　マークが存在する文書のページタイトル
１１２　マークが存在する文書のマーク位置
１１３　マークが存在する文書のマーク名
１２１　ＵＲＩ入力フィールド
１３１　検索文字列入力フィールド
【図１】
2004030448.tif 000003
【図２】
2004030448.tif 000004
【図３】
2004030448.tif 000005
【図４】
2004030448.tif 000006
【図５】
2004030448.tif 000007
【図６】
2004030448.tif 000008
【図７】
2004030448.tif 000009
【図８】
2004030448.tif 000010
【図９】
2004030448.tif 000011
【図１０】
2004030448.tif 000012
【図１１】
2004030448.tif 000013
【図１２】
2004030448.tif 000014
【図１３】
2004030448.tif 000015